【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
第１の表示処理部及び第２の表示処理部を有する画像表示装置の制御方法であって、
前記第１の表示処理部の初期設定を行う第１の初期設定ステップと、
前記第１の初期設定ステップにおいて行われた前記第１の表示処理部の初期設定状態を検査する第１の検査ステップと、
前記第１の検査ステップにおいて前記第１の表示処理部の初期設定状態が異常であると検出されたとき、前記第１の表示処理部の再初期設定を行う第１の再初期設定ステップと、
前記第２の表示処理部の初期設定を行う第２の初期設定ステップと、
前記第２の初期設定ステップにおいて行われた前記第２の表示処理部の初期設定状態を検査する第２の検査ステップと、
前記第２の検査ステップにおいて前記第２の表示処理部の初期設定状態が異常であると検出されたとき、前記第２の表示処理部の再初期設定を行う第２の再初期設定ステップとを含むことを特徴とする画像表示装置の制御方法。
【請求項２】
請求項１において、
前記第２の初期設定ステップでは、
前記第１の検査ステップにおいて前記第１の表示処理部の初期設定状態が正常であると検出されたとき、前記第２の表示処理部の初期設定を行うことを特徴とする画像表示装置の制御方法。
【請求項３】
請求項１又は２において、
前記第２の表示処理部は、前記第１の表示処理部の後段側に配置されることを特徴とする画像表示装置の制御方法。
【請求項４】
第１の表示処理部、第２の表示処理部及びランプを有する画像表示装置の制御方法であって、
前記第１の表示処理部の初期設定を行う第１の初期設定ステップと、
前記第２の表示処理部の初期設定を行う第２の初期設定ステップと、
前記第１の表示処理部及び前記第２の表示処理部の初期設定後、前記ランプの点灯を行うランプ点灯ステップと、
前記ランプの点灯後、前記第１の表示処理部の初期設定状態を検査する第１の検査ステップと、
前記第１の検査ステップにおいて前記第１の表示処理部の初期設定状態が異常であると検出されたとき、前記第１の表示処理部の再初期設定を行う第１の再初期設定ステップと、
前記ランプの点灯後、前記第２の表示処理部の初期設定状態を検査する第２の検査ステップと、
前記第２の検査ステップにおいて前記第２の表示処理部の初期設定状態が異常であると検出されたとき、前記第２の表示処理部の再初期設定を行う第２の再初期設定ステップとを含むことを特徴とする画像表示装置の制御方法。
【請求項５】
第１の表示処理部、第２の表示処理部及びランプを有する画像表示装置の制御方法であって、
読み出し可能に構成される初期設定対象のレジスターセットを有する前記第１の表示処理部の初期設定を行う第１の初期設定ステップと、
読み出し不可能に構成される初期設定対象のレジスターセットを有する前記第２の表示処理部の初期設定を行う第２の初期設定ステップと、
前記第１の表示処理部及び前記第２の表示処理部の初期設定後、前記ランプの点灯を行うランプ点灯ステップと、
前記ランプの点灯後、前記第１の表示処理部の初期設定状態を検査する第１の検査ステップと、
前記第１の検査ステップにおいて前記第１の表示処理部の初期設定状態が異常であると検出されたとき、前記第１の表示処理部の再初期設定を行う第１の再初期設定ステップと、
前記ランプの点灯後、前記第２の表示処理部の再初期設定を行う第２の再初期設定ステップとを含むことを特徴とする画像表示装置の制御方法。
【請求項６】
請求項１乃至５のいずれかにおいて、
前記第１の再初期設定ステップでは、
前記第１の検査ステップにおいて前記第１の表示処理部の初期設定状態が異常であると検出されたとき、前記第１の表示処理部及び前記第２の表示処理部の再初期設定を行うことを特徴とする画像表示装置の制御方法。
【請求項７】
請求項１乃至６のいずれかにおいて、
前記第１の検査ステップ及び前記第２の検査ステップのうち少なくとも一方では、検査対象の表示処理部が有するレジスターのライトデータ値がリードデータ値と不一致のとき、検査対象の表示処理部の初期設定状態が異常であると検出することを特徴とする画像表示装置の制御方法。
【請求項８】
請求項１乃至６のいずれかにおいて、
前記第１の検査ステップ及び前記第２の検査ステップのうち少なくとも一方では、検査対象の表示処理部が有するレジスターのリードデータ値がデフォルト値と一致したとき、検査対象の表示処理部の初期設定状態が異常であると検出することを特徴とする画像表示装置の制御方法。
【請求項９】
請求項１乃至６のいずれかにおいて、
前記第１の設定状態検査ステップ及び前記第２の設定状態検査ステップのうち少なくとも一方では、所定時間経過後にビジー信号が非アクティブに設定されないとき、検査対象の表示処理部の初期設定状態が異常であると検出することを特徴とする画像表示装置の制御方法。
【請求項１０】
第１の表示処理部と、
第２の表示処理部と、
制御部と、を有する画像表示装置であって、
前記制御部は、
前記第１の表示処理部の初期設定を行う第１の初期設定部と、
前記第１の初期設定ステップによって行われた前記第１の表示処理部の初期設定状態を検査する第１の検査部と、
前記第１の検査部によって前記第１の表示処理部の初期設定状態が異常であると検出されたとき、前記第１の表示処理部の再初期設定を行う第１の再初期設定部と、
前記第２の表示処理部の初期設定を行う第２の初期設定部と、
前記第２の初期設定部によって行われた前記第２の表示処理部の初期設定状態を検査する第２の検査部と、
前記第２の検査部によって前記第２の表示処理部の初期設定状態が異常であると検出されたとき、前記第２の表示処理部の再初期設定を行う第２の再初期設定部と、を含むことを特徴とする画像表示装置。
【請求項１１】
請求項１０において、
前記第２の初期設定部は、
前記第１の検査部によって前記第１の表示処理部の初期設定状態が正常であると検出されたとき、前記第２の表示処理部の初期設定を行うことを特徴とする画像表示装置。
【請求項１２】
請求項１０又は１１において、
前記第２の表示処理部は、前記第１の表示処理部の後段側に配置されることを特徴とする画像表示装置。
【請求項１３】
第１の表示処理部と、
第２の表示処理部と、
ランプと、
制御部と、を有する画像表示装置であって、
前記制御部は、
前記第１の表示処理部の初期設定を行う第１の初期設定部と、
前記第２の表示処理部の初期設定を行う第２の初期設定部と、
前記第１の表示処理部及び前記第２の表示処理部の初期設定後、前記ランプの点灯を行うランプ点灯部と、
前記ランプの点灯後、前記第１の表示処理部の初期設定状態を検査する第１の検査部と、
前記第１の検査部によって前記第１の表示処理部の初期設定状態が異常であると検出されたとき、前記第１の表示処理部の再初期設定を行う第１の再初期設定部と、
前記ランプの点灯後、前記第２の表示処理部の初期設定状態を検査する第２の検査部と、
前記第２の検査部によって前記第２の表示処理部の初期設定状態が異常であると検出されたとき、前記第２の表示処理部の再初期設定を行う第２の再初期設定部とを含むことを特徴とする画像表示装置。
【請求項１４】
第１の表示処理部と、
第２の表示処理部と、
ランプと、
制御部と、を有する画像表示装置であって、
前記制御部は、
読み出し可能に構成される初期設定対象のレジスターセットを有する前記第１の表示処理部の初期設定を行う第１の初期設定部と、
読み出し不可能に構成される初期設定対象のレジスターセットを有する前記第２の表示処理部の初期設定を行う第２の初期設定部と、
前記第１の表示処理部及び前記第２の表示処理部の初期設定後、前記ランプの点灯を行うランプ点灯部と、
前記ランプの点灯後、前記第１の表示処理部の初期設定状態を検査する第１の検査部と、
前記第１の検査部によって前記第１の表示処理部の初期設定状態が異常であると検出されたとき、前記第１の表示処理部の再初期設定を行う第１の再初期設定部と、
前記ランプの点灯後、前記第２の表示処理部の再初期設定を行う第２の再初期設定部とを含むことを特徴とする画像表示装置。
【請求項１５】
請求項１０乃至１４のいずれかにおいて、
前記第１の再初期設定部は、
前記第１の検査部によって前記第１の表示処理部の初期設定状態が異常であると検出されたとき、前記第１の表示処理部及び前記第２の表示処理部の再初期設定を行うことを特徴とする画像表示装置。
【請求項１６】
請求項１０乃至１５のいずれかにおいて、
前記第１の検査部及び前記第２の検査部のうち少なくとも一方は、検査対象の表示処理部が有するレジスターのライトデータ値がリードデータ値と不一致のとき、検査対象の表示処理部の初期設定状態が異常であると検出することを特徴とする画像表示装置。
【請求項１７】
請求項１０乃至１５のいずれかにおいて、
前記第１の検査部及び前記第２の検査部のうち少なくとも一方は、検査対象の表示処理部が有するレジスターのリードデータ値がデフォルト値と一致したとき、検査対象の表示処理部の初期設定状態が異常であると検出することを特徴とする画像表示装置。
【請求項１８】
請求項１０乃至１５のいずれかにおいて、
前記第１の設定状態検査部及び前記第２の設定状態検査部のうち少なくとも一方は、所定時間経過後にビジー信号が非アクティブに設定されないとき、検査対象の表示処理部の初期設定状態が異常であると検出することを特徴とする画像表示装置。